【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
人間の患者の胸部内の塊の生体検査中に該塊を固定し採取する生体検査装置において、
付着プローブと該付着プローブとともに使用するように適合されたカニューレとからなり、
前記付着プローブは、
基端、先端、第１外径を有する基端セグメントおよび第２外径を有する先端セグメントを有し、前記第１外径が前記第２外径より大きい、患者の身体に挿入するのに適合した剛性チューブを有し、
前記先端セグメントは前記胸部内の塊に付着するように適合され、
前記カニューレは、
基端、先端、前記基端から前記先端に延びるルーメンを有し、前記ルーメンが前記付着プローブの基端セグメントの第１外径とほぼ一致する内径を有し、
前記カニューレは前記付着プローブ上を前記患者の身体に挿入するように適合され、
前記カニューレは前記付着プローブ上をスライド可能である、
ことを特徴とする生体検査装置。
【請求項２】
人間の患者の胸部内の塊の生体検査中に該塊を固定し採取する生体検査装置において、
付着プローブと該付着プローブとともに使用するのに適合されたコア採取装置とからなり、
前記付着プローブは、
基端、先端、基端セグメントおよび先端セグメントを有し、前記基端セグメントが前記先端セグメントより大きな外径を有する、患者の身体に挿入するのに適合した剛性チューブを有し、
前記先端セグメントは、前記塊を穿通するのに適合した鋭利な先端チップを有し、
前記剛性チューブ内に配置され、前記剛性チューブの先端に延びて該剛性チューブの先端のオリフィスで終り、前記剛性チューブの内面と前記ガス供給チューブの外面の間に前記プローブからの冷却剤を排出するための環状ルーメンを形成し、前記剛性チューブの先端に冷却剤を供給する高圧ガス供給チューブを有し、
前記コア採取装置は、
貫通して延びて基端開口と先端開口を形成するルーメンを有する、前記患者の身体に挿入するように適合されたカニューレと、
前記カニューレに動作可能に接続されたカニューレ回転機構と、
前記カニューレに動作可能に接続されたカニューレ平行移動機構と、
前記カニューレ、前記回転機構および前記平行移動機構を覆い、基端と先端を有し、前記カニューレが内部から延びて貫通し先端で外に出るようにしたハウジングと、
前記ハウジングの基端に配置され、前記カニューレのルーメンと連通する入口を有し、前記付着プローブを前記コア採取装置に固定するスナップ連結部と、からなり、
前記付着プローブは前記カニューレの基端開口から前記ルーメンを貫通して固定されている、
ことを特徴とする生体検査装置。
【請求項３】
前記カニューレ回転機構は、モータ、該モータに動作可能に連結されたピニオンギヤ、該ピニオンギヤに動作可能に連結された駆動ギヤからなり、前記駆動ギヤは前記カニューレに固定して嵌合する大きさの穴を有し、前記カニューレは前記穴に貫通して嵌合し、駆動位置において前記モータは前記ピニオンギヤと前記駆動ギヤを駆動することにより前記カニューレを回転する請求項２に記載の生体検査装置。
【請求項４】
前記カニューレ回転機構は、ガス入口およびガス出口を有し前記カニューレを固定して嵌合する大きさの穴を有するガスタービンモータからなり、前記カニューレは前記穴を貫通して嵌合し、駆動位置においてガスが前記ガス入口から前記ガス出口に流れて前記ガスタービンと前記カニューレを回転させる請求項２に記載の生体検査装置。
【請求項５】
前記カニューレ平行移動機構は、トラック、該トラックにスライド可能に取り付けられた進入トラック、該進入トラックに固定して装着されたアーム、回動ピンの回りに回動可能に装着されて前記トラックに動作可能に取り付けられたトリガー、前記トラックにスライド可能に取り付けられたキャリッジからなり、前記カニューレは前記キャリッジに回動可能に固定して取り付けられ、非係合位置において前記キャリッジは前記トラックの基端に配置され、係合位置において前記キャリッジは前記回動ピンの回りに前記トリガーを押圧することで前記トラックの先端に前進する請求項２に記載の生体検査装置。
【請求項６】
前記カニューレ平行移動機構は、スライドボルトからなり、該スライドボルトは前記カニューレに固定して取り付けられている請求項２に記載の生体検査装置。
【請求項７】
人間の患者の胸部内の塊の生体検査中に該塊を固定し採取する生体検査器具において、
身体組織に挿入し該身体組織に付着するように適合された付着プローブと、
前記付着プローブとともに使用するように適合され、先端と基端を有するコア採取機構とからなり、
該コア採取機構は、先端と基端を有し、
貫通して延びて基端開口と先端開口を形成するルーメンを有する、前記患者の身体に挿入するように適合されたカニューレと、
前記カニューレに動作可能に接続されたカニューレ平行移動機構と、
前記カニューレに動作可能に接続されたカニューレ回転機構とからなり、
前記カニューレ、平行移動機構および前記カニューレ回転機構を覆い、基端と先端を有し、前記カニューレが内部から延びて貫通し先端で外に出るようにしたハウジングとからなり、
前記付着プローブは前記カニューレのルーメンを貫通して嵌合され、
前記カニューレ平行移動機構は、
シリンダ室を有し、基端と先端を有する気圧または液圧シリンダと、
該シリンダのシリンダ室に配置され、該シリンダのシリンダ室に沿って長手方向平行移動が可能で、前記カニューレの外径に近似するようなサイズの穴を有するピストンと、
動作流体源または真空源から延びて前記シリンダのシリンダ室で終わる、前記シリンダのシリンダ室に動作流体を供給しまたは真空を付与するチューブとからなり、
前記カニューレは、前記ピストンの穴を貫通して該ピストンに固定して取り付けられ、前記シリンダの先端を貫通して延び、前記ピストンの動作に応じて先端側または基端側に移動する、
ことを特徴とする生体検査器具。
【請求項８】
前記カニューレ回転機構は、
前記シリンダ内に配置され、第１端と第２端を有し、貫通して延びて前記第１端と第２端に開口を形成するルーメンを有し、該ルーメンが前記カニューレを受け入れるような大きさであり、前記ルーメンが前記ピストンの穴と連通して前記第１端が前記ピストンに取り付けられ、前記シリンダのシリンダ室に沿って長手方向に平行移動可能である、リードねじと、
前記シリンダの先端に配置され、前記リードねじに動作可能に接続されたリードねじナットとからなり、
ここで、前記カニューレは前記リードねじのルーメンを占有し、
前記シリンダのシリンダ室に沿った前記ピストンの長手方向の平行移動は前記リードねじに伝達され、
前記リードねじが長手方向に平行移動すると、前記リードねじが前記リードねじナットの動作により回転し、該リードねじの回転が前記カニューレに伝達され、該カニューレを回転させる請求項７に記載の生体検査器具。
【請求項９】
身体から組織サンプルを得る装置において、
身体内の組織に付着するように動作可能で、身体に挿入するように適合された付着プローブと、
該付着プローブの回りに同軸に配置され、前記付着プローブ上でスライド可能でかつ回転可能であるカニューレと、
シリンダ、該シリンダ内に同軸に配置されたピストン、アクチュエータロッドからなり、前記シリンダへの真空の付与に応じて前記ピストンが前記シリンダ内で長手方向に移動可能で、前記アクチュエータロッドが前記ピストンに長手方向に固定され、前記ピストンおよび前記アクチュエータロッドが前記カニューレに長手方向に固定されている、気圧または液圧アクチュエータとからなり、
前記アクチュエータは、前記カニューレが前記付着プローブ上で長手方向にスライドするように動作可能であり、
前記アクチュエータは、前記カニューレが前記付着プローブ上で回転するように動作可能である、
身体から組織サンプルを得る装置。
【請求項１０】
人間の患者の胸部内の塊の生体検査中に該塊を固定し採取する生体検査器具において、
身体組織に挿入し該身体組織に付着するように適合された付着プローブと、
前記付着プローブとともに使用するように適合され、先端と基端を有するコア採取機構とからなり、
該コア採取機構は、
貫通して延びて基端開口と先端開口を形成するルーメンを有する、前記患者の身体に挿入するように適合されたカニューレと、
前記カニューレに動作可能に接続されたカニューレ平行移動機構と、
前記カニューレに動作可能に接続されたカニューレ回転機構とからなり、
前記カニューレ平行移動機構および前記カニューレ回転機構を覆い、基端と先端を有し、前記カニューレが内部から延びて貫通し先端で外に出るようにしたハウジングとからなり、
前記付着プローブは前記カニューレのルーメンを貫通して嵌合され、
前記カニューレ平行移動機構は、
シリンダ室を有し、基端と先端を有する気圧または液圧シリンダと、
該シリンダのシリンダ室に配置され、該シリンダのシリンダ室に沿って長手方向平行移動が可能で、前記カニューレの外径に近似するようなサイズの穴を有するピストンとからなり、
前記カニューレは、前記ピストンの穴を貫通して該ピストンに固定して取り付けられ、前記シリンダの先端を貫通して延び、前記ピストンの動作に応じて先端側または基端側に移動する、
ことを特徴とする生体検査器具。
【請求項１１】
前記カニューレ回転機構は、
前記シリンダ内に配置され、第１端と第２端を有し、貫通して延びて前記第１端と第２端に開口を形成するルーメンを有し、該ルーメンが前記カニューレを受け入れるような大きさであり、前記ルーメンが前記ピストンの穴と連通して前記第１端が前記ピストンに取り付けられ、前記シリンダのシリンダ室に沿って長手方向に平行移動可能である、リードねじと、
前記シリンダの先端に配置され、前記リードねじに動作可能に接続されたリードねじナットとからなり、
ここで、前記カニューレは前記リードねじのルーメンを占有し、
前記シリンダのシリンダ室に沿った前記ピストンの長手方向の平行移動は前記リードねじに伝達され、
前記リードねじが長手方向に平行移動すると、前記リードねじが前記リードねじナットの動作により回転し、該リードねじの回転が前記カニューレに伝達され、該カニューレを回転させる請求項１０に記載の生体検査器具。
【請求項１２】
人間の患者の胸部内の塊の生体検査中に該塊を固定し採取する生体検査器具において、
身体組織に挿入し該身体組織に付着するように適合された付着プローブと、
前記付着プローブとともに使用するように適合され、先端と基端を有するコア採取機構とからなり、
該コア採取機構は、
貫通して延びて基端開口と先端開口を形成するルーメンを有する、前記患者の身体に挿入するように適合されたカニューレと、
前記カニューレに動作可能に接続されたカニューレ平行移動機構と、
前記カニューレに動作可能に接続されたカニューレ回転機構とからなり、
前記カニューレ平行移動機構および前記カニューレ回転機構を覆い、基端と先端を有し、前記カニューレが内部から延びて貫通し先端で外に出るようにしたハウジングとからなり、
前記付着プローブは前記カニューレのルーメンを貫通して嵌合され、
前記カニューレ平行移動機構は、
シリンダ室を有し、基端と先端を有する気圧または液圧シリンダと、
該シリンダのシリンダ室に配置され、該シリンダのシリンダ室に沿って長手方向平行移動が可能であるピストンとからなり、
前記カニューレは、前記ピストンの穴を貫通して該ピストンに固定して取り付けられ、前記シリンダの先端を貫通して延び、前記ピストンの動作に応じて先端側または基端側に移動する、
ことを特徴とする生体検査器具。
【請求項１３】
前記カニューレ回転機構は、
前記シリンダ内の配置され、第１端と第２端を有し、貫通して延びて前記第１端と第２端に開口を形成するルーメンを有し、該ルーメンが前記カニューレを受け入れるような大きさであり、前記ルーメンが前記ピストンの穴と連通して前記第１端が前記ピストンに取り付けられ、前記シリンダのシリンダ室に沿って長手方向に平行移動可能である、リードねじと、
前記シリンダの先端に配置され、前記リードねじに動作可能に接続されたリードねじナットとからなり、
ここで、前記カニューレは前記リードねじのルーメンを占有し、
前記シリンダのシリンダ室に沿った前記ピストンの長手方向の平行移動は前記リードねじに伝達され、
前記リードねじが長手方向に平行移動すると、前記リードねじが前記リードねじナットの動作により回転し、該リードねじの回転が前記カニューレに伝達され、該カニューレを回転させる請求項１２に記載の生体検査器具。
【請求項１４】
人間の患者の胸部内の塊の生体検査中に該塊を固定し採取する生体検査器具において、
付着プローブと該付着プローブとともに使用するのに適合されたコア採取機構とからなり、
前記付着プローブは、
基端、先端、基端セグメントおよび先端セグメントを有し、前記基端セグメントが前記先端セグメントより大きな外径を有する、患者の身体に挿入するのに適合した剛性チューブを有し、
前記先端セグメントは、前記塊を穿通するのに適合した鋭利な先端チップを有し、
前記剛性チューブ内に配置され、前記剛性チューブの先端に延びて該剛性チューブの先端のオリフィスで終り、前記剛性チューブの内面と前記ガス供給チューブの外面の間に前記プローブからの冷却剤を排出するための環状ルーメンを形成し、前記剛性チューブの先端に冷却剤を供給する高圧ガス供給チューブを有し、
前記コア採取機構は、
貫通して延びて基端開口と先端開口を形成するルーメンを有する、前記患者の身体に挿入するように適合されたカニューレと、
前記カニューレに動作可能に接続されたカニューレ平行移動機構と、
前記カニューレに動作可能に接続されたカニューレ回転機構とからなり、
前記カニューレ、前記カニューレ平行移動機構および前記カニューレ回転機構を覆い、基端と先端を有し、前記カニューレが内部から延びて貫通し先端で外に出るようにしたハウジングとからなり、
前記付着プローブは前記カニューレの基端開口から前記ルーメンを貫通して固定され、
シリンダ室を有し、基端と先端を有するシリンダと、
該シリンダのシリンダ室に配置され、該シリンダのシリンダ室に沿って長手方向平行移動が可能で、前記カニューレの外径に近似するようなサイズの穴を有するピストンとからなり、
前記カニューレは、前記ピストンの穴を貫通して該ピストンに固定して取り付けられ、前記シリンダの先端を貫通して延び、
後退位置では、前記ピストンは前記シリンダの基端に位置し、前記付着プローブの先端セグメントは前記カニューレの先端開口から延び、
伸長位置では、前記ピストンは前記シリンダの先端に位置し、前記カニューレの先端開口は前記付着プローブの先端セグメントの上を延びる、
ことを特徴とする生体検査器具。
【請求項１５】
前記カニューレは、真っ直ぐに切断された先端縁を有する請求項１４に記載の生体検査器具。
【請求項１６】
前記カニューレ回転機構は、
前記シリンダ内に配置され、第１端と第２端を有し、貫通して延びて前記第１端と第２端に開口を形成するルーメンを有し、該ルーメンが前記カニューレを受け入れるような大きさであり、前記ルーメンが前記ピストンの穴と連通して前記第１端が前記ピストンに取り付けられ、前記シリンダのシリンダ室に沿って長手方向に平行移動可能である、リードねじと、
前記シリンダの先端に配置され、前記リードねじに動作可能に接続されたリードねじナットとからなり、
ここで、前記カニューレは前記リードねじのルーメンを貫通して前記リードねじに取り付けられ、
前記シリンダのシリンダ室に沿った前記ピストンの長手方向の平行移動は前記リードねじに伝達され、
前記リードねじが長手方向に平行移動すると、前記リードねじが前記リードねじナットの動作により回転し、該リードねじの回転が前記カニューレに伝達され、該カニューレを回転させる請求項１４に記載の生体検査器具。
【請求項１７】
前記カニューレは、真っ直ぐに切断された先端縁を有する請求項１６に記載の生体検査器具。
【請求項１８】
人間の患者の胸部内の塊の生体検査中に該塊を固定し採取する生体検査器具において、
付着プローブと該付着プローブとともに使用するのに適合されたコア採取機構とからなり、
前記付着プローブは、
基端、先端、基端セグメントおよび先端セグメントを有し、前記基端セグメントが前記先端セグメントより大きな外径を有する、患者の身体に挿入するのに適合した剛性チューブを有し、
前記先端セグメントは、前記塊を穿通するのに適合した鋭利な先端チップを有し、
前記剛性チューブ内に配置され、前記剛性チューブの先端に延びて該剛性チューブの先端のオリフィスで終り、前記剛性チューブの内面と前記ガス供給チューブの外面の間に前記プローブからの冷却剤を排出するための環状ルーメンを形成し、前記剛性チューブの先端に冷却剤を供給する高圧ガス供給チューブを有し、
前記コア採取機構は、
貫通して延びて基端開口と先端開口を形成するルーメンとを有する、前記患者の身体に挿入するように適合されたカニューレと、
前記カニューレに動作可能に接続されたカニューレ平行移動機構と、
前記カニューレに動作可能に接続されたカニューレ回転機構とからなり、
前記カニューレ、前記カニューレ平行移動機構および前記カニューレ回転機構を覆い、基端と先端を有し、前記カニューレが内部から延びて貫通し先端で外に出るようにしたハウジングとからなり、
前記付着プローブは前記カニューレの基端開口から前記ルーメンを貫通して固定され、
前記カニューレ平行移動機構は、
シリンダ室を有し、基端と先端を有するシリンダと、
該シリンダのシリンダ室に配置され、該シリンダのシリンダ室に沿って長手方向平行移動が可能であるピストンとからなり、
前記カニューレは、前記ピストンに固定して取り付けられ、前記シリンダの先端を貫通して延び、
後退位置では、前記ピストンは前記シリンダの基端に位置し、前記付着プローブの先端セグメントは前記カニューレの先端開口から延び、
伸長位置では、前記ピストンは前記シリンダの先端に位置し、前記カニューレの先端開口は前記付着プローブの先端セグメントの上を延びる、
ことを特徴とする生体検査器具。
【請求項１９】
前記カニューレ回転機構は、
前記シリンダ内に配置され、第１端と第２端を有し、貫通して延びて前記第１端と第２端に開口を形成するルーメンを有し、該ルーメンが前記カニューレを受け入れるような大きさであり、前記ルーメンが前記ピストンの穴と連通して前記第１端が前記ピストンに取り付けられ、前記シリンダのシリンダ室に沿って長手方向に平行移動可能である、リードねじと、
前記シリンダの先端に配置され、前記リードねじに動作可能に接続されたリードねじナットとからなり、
ここで、前記カニューレは前記リードねじのルーメンを貫通して前記リードねじに取り付けられ、
前記シリンダのシリンダ室に沿った前記ピストンの長手方向の平行移動は前記リードねじに伝達され、
前記リードねじが長手方向に平行移動すると、前記リードねじが前記リードねじナットの動作により回転し、該リードねじの回転が前記カニューレに伝達され、該カニューレを回転させる請求項１８に記載の生体検査器具。